(57)【要約】【課題】携帯電話端末の課金を代行する課金代行方法に関し，利用上限金額が設定された携帯電話端末でも，必要な場合には利用上限金額を超えて利用することが可能となる技術を提供する。【解決手段】携帯電話端末１００ａは，課金の代行を行う携帯電話端末１００ａを特定する情報，課金の代行を受ける携帯電話端末１００ｂを特定する情報，課金代行金額などを含む課金代行データ１２０を生成し，携帯電話端末１００ｂに受け渡す。携帯電話端末１００ｂは，課金代行データ１２０を各携帯電話端末１００の課金を管理する課金センタシステム２００に送る。課金センタシステム２００は，課金データベース２０２において，携帯電話端末１００ａの利用料金に課金代行金額を加算し，携帯電話端末１００ｂの利用上限金額に課金代行金額を加算する。【選択図】図１
2008236102.tif 000002
【特許請求の範囲】
【請求項１】
他の携帯電話端末の課金を代行する第１の携帯電話端末と，課金の代行を受ける第２の携帯電話端末と，各携帯電話端末の課金を管理する課金センタシステムとにおける課金代行方法であって，
前記第１の携帯電話端末が，少なくとも前記第１の携帯電話端末を特定する情報と，前記第２の携帯電話端末を特定する情報と，代行する課金の金額である課金代行金額とを含む課金代行情報を生成する過程と，
前記第１の携帯電話端末が，前記第２の携帯電話端末に前記生成された課金代行情報を受け渡す過程と，
前記第２の携帯電話端末が，前記第１の携帯電話端末から前記課金代行情報を受け取る過程と，
前記第２の携帯電話端末が，前記受け取った課金代行情報を前記課金センタシステムに登録する過程と，
前記課金センタシステムが，前記課金代行情報で指定された課金代行金額の範囲内で，前記課金代行情報で特定された前記第２の携帯電話端末の利用料金の減算または利用上限金額の加算を行い，前記課金代行情報で特定された前記第１の携帯電話端末の利用料金の加算を行う過程とを有する
ことを特徴とする課金代行方法。
【請求項２】
他の携帯電話端末の課金を代行する第１の携帯電話端末と，課金の代行を受ける第２の携帯電話端末と，各携帯電話端末の課金を管理する課金センタシステムとにおける課金代行方法であって，
前記第２の携帯電話端末が，少なくとも前記第２の携帯電話端末を特定する情報と，課金の代行を依頼する金額である課金代行依頼金額とを含む課金代行依頼情報を生成する過程と，
前記第２の携帯電話端末が，前記第１の携帯電話端末に前記生成された課金代行依頼情報を送信する過程と，
前記第１の携帯電話端末が，前記課金代行依頼情報を受信する過程と，
前記第１の携帯電話端末が，少なくとも前記第１の携帯電話端末を特定する情報と，前記第２の携帯電話端末を特定する情報とを含み，さらに前記課金代行依頼情報で指定された課金代行依頼金額を代行する課金の金額である課金代行金額として含む課金代行情報を生成する過程と，
前記第１の携帯電話端末が，前記第２の携帯電話端末に前記生成された課金代行情報を受け渡す過程と，
前記第２の携帯電話端末が，前記第１の携帯電話端末から前記課金代行情報を受け取る過程と，
前記第２の携帯電話端末が，前記受け取った課金代行情報を前記課金センタシステムに登録する過程と，
前記課金センタシステムが，前記課金代行情報で指定された課金代行金額の範囲内で，前記課金代行情報で特定された前記第２の携帯電話端末の利用料金の減算または利用上限金額の加算を行い，前記課金代行情報で特定された前記第１の携帯電話端末の利用料金の加算を行う過程とを有する
ことを特徴とする課金代行方法。
【請求項３】
請求項１または請求項２に記載された課金代行方法であって，
前記第１の携帯電話端末が課金代行情報を受け渡す過程では，前記課金代行情報を２次元バーコードに変換して前記第１の携帯電話端末の画面に表示し，
前記第２の携帯電話端末が課金代行情報を受け取る過程では，前記第１の携帯電話端末の画面に表示された２次元バーコードを，前記第２の携帯電話端末に内蔵されたカメラで撮影し，得られた２次元バーコードの画像を変換することにより，前記課金代行情報を取得する
ことを特徴とする課金代行方法。
【請求項４】
請求項１から請求項３までのいずれか１項に記載された課金代行方法であって，
前記第１の携帯電話端末が，前記課金代行情報の改竄を防止するための改竄防止コードを生成し，生成された改竄防止コードを前記課金代行情報に組み込む過程を有する
ことを特徴とする課金代行方法。
【請求項５】
他の携帯電話端末の課金を代行する第１の携帯電話端末と，課金の代行を受ける第２の携帯電話端末と，各携帯電話端末の課金を管理する課金センタシステムとを備える課金代行システムであって，
前記第１の携帯電話端末は，
少なくとも前記第１の携帯電話端末を特定する情報と，前記第２の携帯電話端末を特定する情報と，代行する課金の金額である課金代行金額とを含む課金代行情報を生成する手段と，
前記第２の携帯電話端末に前記生成された課金代行情報を受け渡す手段とを備え，
前記第２の携帯電話端末は，
前記第１の携帯電話端末から前記課金代行情報を受け取る手段と，
前記受け取った課金代行情報を前記課金センタシステムに登録する手段とを備え，
前記課金センタシステムは，
前記課金代行情報で指定された課金代行金額の範囲内で，前記課金代行情報で特定された前記第２の携帯電話端末の利用料金の減算または利用上限金額の加算を行い，前記課金代行情報で特定された前記第１の携帯電話端末の利用料金の加算を行う手段を備える
ことを特徴とする課金代行システム。
【請求項６】
請求項５に記載された課金代行システムであって，
前記課金代行情報を受け渡す手段は，前記課金代行情報を２次元バーコードに変換して前記第１の携帯電話端末の画面に表示し，
前記課金代行情報を受け取る手段は，前記第１の携帯電話端末の画面に表示された２次元バーコードを，前記第２の携帯電話端末に内蔵されたカメラで撮影し，得られた２次元バーコードの画像を変換することにより，前記課金代行情報を取得する
ことを特徴とする課金代行システム。
【請求項７】
他の携帯電話端末の課金を代行する第１の携帯電話端末と，課金の代行を受ける第２の携帯電話端末と，各携帯電話端末の課金を管理する課金センタシステムとを備える課金代行システムにおける前記第１の携帯電話端末であって，
少なくとも前記第１の携帯電話端末を特定する情報と，前記第２の携帯電話端末を特定する情報と，代行する課金の金額である課金代行金額とを含む課金代行情報を生成する手段と，
前記第２の携帯電話端末に前記生成された課金代行情報を受け渡す手段とを備え，
前記第２の携帯電話端末が前記課金代行情報を前記課金センタシステムに送信したときに，前記課金センタシステムに，前記課金代行情報で指定された課金代行金額の範囲内で，前記課金代行情報で特定された前記第２の携帯電話端末の利用料金の減算または利用上限金額の加算を行わせ，前記課金代行情報で特定された前記第１の携帯電話端末の利用料金の加算を行わせる
ことを特徴とする課金代行用携帯電話端末。
【請求項８】
請求項７に記載された課金代行用携帯電話端末であって，
前記課金代行情報を受け渡す手段は，前記課金代行情報を２次元バーコードに変換して当該課金代行用携帯電話端末の画面に表示し，表示された２次元バーコードを前記第２の携帯電話端末に内蔵されたカメラで撮影させることにより，前記課金代行情報を受け渡す
ことを特徴とする課金代行用携帯電話端末。
【請求項９】
他の携帯電話端末の課金を代行する第１の携帯電話端末と，課金の代行を受ける第２の携帯電話端末と，各携帯電話端末の課金を管理する課金センタシステムとを備える課金代行システムにおける前記第２の携帯電話端末であって，
前記第１の携帯電話端末が生成した，少なくとも前記第１の携帯電話端末を特定する情報と，前記第２の携帯電話端末を特定する情報と，代行する課金の金額である課金代行金額とを含む課金代行情報を，前記第１の携帯電話端末から受け取る手段と，
前記受け取った課金代行情報を前記課金センタシステムに登録する手段とを備え，
前記課金センタシステムに，前記課金代行情報で指定された課金代行金額の範囲内で，前記課金代行情報で特定された前記第２の携帯電話端末の利用料金の減算または利用上限金額の加算を行わせ，前記課金代行情報で特定された前記第１の携帯電話端末の利用料金の加算を行わせる
ことを特徴とする課金代行を受ける携帯電話端末。
【請求項１０】
請求項９に記載された課金代行を受ける携帯電話端末であって，
前記課金代行情報を受け取る手段は，前記第１の携帯電話端末によって前記課金代行情報から変換され，前記第１の携帯電話端末の画面に表示された２次元バーコードを，当該課金代行を受ける携帯電話端末に内蔵されたカメラで撮影し，得られた２次元バーコードの画像を変換することにより，前記課金代行情報を取得する
ことを特徴とする課金代行を受ける携帯電話端末。
【発明の詳細な説明】
【技術分野】
【０００１】
本発明は，携帯電話端末の課金に関するものであり，特に，利用上限金額が設定された携帯電話端末の課金を他の携帯電話端末で代行することにより，設定された利用上限金額を超えた携帯電話端末の使用を可能とする課金代行方法，課金代行システム，課金代行用携帯電話端末および課金代行を受ける携帯電話端末に関するものである。
【背景技術】
【０００２】
近年，携帯電話が普及し，小学生や中学生などの子供でも携帯電話を所有するようになった。しかし，子供は携帯電話の利用料金を自分で支払うわけではないので，何も言わずにおくと，無制限に携帯電話を使いすぎてしまうという問題があった。そのため，各携帯電話の事業者は，携帯電話の利用料金の１ヶ月の利用上限金額を設定し，その利用上限金額を超えた携帯電話の使用を規制するというサービスを提供している。ここで，利用料金には，電話料金のほか，パケット通信料金や基本料金，その他のサービス料金など，事業者に支払うすべての料金を含むものとする。
【０００３】
なお，本発明に先行する技術が記載された文献としては，例えば特許文献１などがある。特許文献１には，通話等による課金額の累計が，あらかじめ登録された上限課金額に達している場合に，あらかじめ登録された電話番号への発信のみを許可し，それ以外の電話番号への発信を規制する技術が記載されている。
【特許文献１】特開２００２−１９０８８０号公報
【発明の開示】
【発明が解決しようとする課題】
【０００４】
上述の携帯電話の利用料金の利用上限金額を設定し，その利用上限金額を超えた携帯電話の使用を規制するというサービスにより，子供の携帯電話の使用を制限することができる。しかし，従来のサービスでは，利用上限金額を超えてしまったときに，１１０番などの特殊な電話番号以外の電話番号への発信を行うことができないため，緊急に連絡を行う必要がある場合でも，その携帯電話を使用することができないという問題がある。
【０００５】
特許文献１に記載された技術では，上限課金額に達した後でも，あらかじめ携帯電話に発信の許可登録された電話番号には，発信を行うことができる。しかし，特許文献１に記載された技術では，あらかじめ許可登録されていない電話番号に緊急に電話をかける必要がある場合でも，その電話番号に電話をかけることができない。また，特許文献１に記載された技術は，携帯電話で上限課金額による電話発信の許可／不許可を制御する技術であり，事業者側で電話発信の許可／不許可を制御する技術ではないため，事業者側のサービスで携帯電話の利用制限を行う場合には適用できない。
【０００６】
本発明は，上記の問題点の解決を図り，携帯電話に利用料金の利用上限金額が設定されており，利用料金がその利用上限金額に達してしまった場合でも，必要なときにその携帯電話で電話をかけることが可能となる技術を提供することを目的とする。
【課題を解決するための手段】
【０００７】
本発明は，上記の課題を解決するため，利用上限金額が設定された携帯電話端末の利用上限金額を超える利用料金を，他の携帯電話端末が負担することを特徴とする。すなわち，課金を代行する携帯電話端末が，課金代行金額を含む課金代行情報を生成して課金の代行を受ける携帯電話端末に受け渡し，課金の代行を受ける携帯電話端末が，課金代行情報を各携帯電話端末の課金を管理する課金センタシステムに送り，課金センタシステムでは，課金代行金額の範囲内で，課金の代行を受ける携帯電話端末の利用料金の減算処理や利用上限金額の加算処理を行い，課金の代行を行う携帯電話端末の利用料金の加算処理を行うことを特徴とする。
【０００８】
具体的には，本発明は，他の携帯電話端末の課金を代行する第１の携帯電話端末と，課金の代行を受ける第２の携帯電話端末と，各携帯電話端末の課金を管理する課金センタシステムとにおける課金代行方法であって，第１の携帯電話端末が，少なくとも第１の携帯電話端末を特定する情報と，第２の携帯電話端末を特定する情報と，代行する課金の金額である課金代行金額とを含む課金代行情報を生成する過程と，第１の携帯電話端末が，第２の携帯電話端末に生成された課金代行情報を受け渡す過程と，第２の携帯電話端末が，第１の携帯電話端末から課金代行情報を受け取る過程と，第２の携帯電話端末が，受け取った課金代行情報を課金センタシステムに登録する過程と，課金センタシステムが，課金代行情報で指定された課金代行金額の範囲内で，課金代行情報で特定された第２の携帯電話端末の利用料金の減算または利用上限金額の加算を行い，課金代行情報で特定された第１の携帯電話端末の利用料金の加算を行う過程とを有することを特徴とする。
【０００９】
これにより，利用上限金額が設定された携帯電話端末でも，課金を代行する携帯電話端末で許可された金額の範囲内で，設定された利用上限金額を超えて，使用することができる。また，課金を代行する携帯電話端末で生成された課金代行情報を，課金の代行を受ける携帯電話端末で保持しておくことができるため，必要なときにだけ，課金センタシステムに課金代行情報の登録を行い，利用上限金額を超えて携帯電話端末を使用することができるようになる。必要がないときには，課金センタシステムへの課金代行情報の登録を行わなければよい。このときには，課金を代行する携帯電話端末に余計な課金を行う必要がなくなる。
【００１０】
また，本発明は，他の携帯電話端末の課金を代行する第１の携帯電話端末と，課金の代行を受ける第２の携帯電話端末と，各携帯電話端末の課金を管理する課金センタシステムとにおける課金代行方法であって，第２の携帯電話端末が，少なくとも第２の携帯電話端末を特定する情報と，課金の代行を依頼する金額である課金代行依頼金額とを含む課金代行依頼情報を生成する過程と，第２の携帯電話端末が，第１の携帯電話端末に生成された課金代行依頼情報を送信する過程と，第１の携帯電話端末が，課金代行依頼情報を受信する過程と，第１の携帯電話端末が，少なくとも第１の携帯電話端末を特定する情報と，第２の携帯電話端末を特定する情報とを含み，さらに課金代行依頼情報で指定された課金代行依頼金額を代行する課金の金額である課金代行金額として含む課金代行情報を生成する過程と，第１の携帯電話端末が，第２の携帯電話端末に生成された課金代行情報を受け渡す過程と，第２の携帯電話端末が，第１の携帯電話端末から課金代行情報を受け取る過程と，第２の携帯電話端末が，受け取った課金代行情報を課金センタシステムに登録する過程と，課金センタシステムが，課金代行情報で指定された課金代行金額の範囲内で，課金代行情報で特定された第２の携帯電話端末の利用料金の減算または利用上限金額の加算を行い，課金代行情報で特定された第１の携帯電話端末の利用料金の加算を行う過程とを有することを特徴とする。
【００１１】
これにより，課金代行の依頼から課金代行情報の登録までの流れを，一連の情報機器の処理で自動化することができるようになる。
【００１２】
また，本発明は，上記の課金代行方法であって，第１の携帯電話端末が課金代行情報を受け渡す過程では，課金代行情報を２次元バーコードに変換して第１の携帯電話端末の画面に表示し，第２の携帯電話端末が課金代行情報を受け取る過程では，第１の携帯電話端末の画面に表示された２次元バーコードを，第２の携帯電話端末に内蔵されたカメラで撮影し，得られた２次元バーコードの画像を変換することにより，課金代行情報を取得することを特徴とする。
【００１３】
これにより，課金代行者（課金の代行を行う携帯電話端末の利用者）と被課金代行者（課金の代行を受ける携帯電話端末の利用者）とが対面で課金代行情報の受け渡しを行うため，メールだけによる架空の代行依頼を防止することができる。
【００１４】
また，本発明は，上記の課金代行方法であって，第１の携帯電話端末が，課金代行情報の改竄を防止するための改竄防止コードを生成し，生成された改竄防止コードを課金代行情報に組み込む過程を有することを特徴とする。これにより，課金代行情報の改竄を防止することができる。
【発明の効果】
【００１５】
本発明によって，携帯電話端末に利用料金の利用上限金額が設定されており，利用料金がその利用上限金額に達してしまった場合でも，必要なときにその携帯電話端末を利用可能な状態にすることができる。例えば，子供に持たせている携帯電話端末に利用上限金額が設定されていても，必要な場合に必要な金額だけ父親の携帯電話端末で利用料金を負担することにより，子供の携帯電話端末が設定された利用上限金額を超えて利用できるようになる。
【発明を実施するための最良の形態】
【００１６】
以下，本発明の実施の形態について，図を用いて説明する。
【００１７】
図１は，本発明の概念を説明するための図である。図１に示された２台の携帯電話端末１００において，携帯電話端末１００ａには，１ヶ月ごとの利用料金の上限金額（以下，利用上限金額という）が設定されていないが，携帯電話端末１００ｂには，利用上限金額が設定されているものとする。課金センタシステム２００は，電話事業者において課金を管理するコンピュータシステムである。課金センタシステム２００は，各契約携帯電話端末１００ごとの課金データを管理する課金データベース２０２を備える。
【００１８】
課金センタシステム２００は，課金データベース２０２で携帯電話端末１００ｂの利用上限金額から利用料金を差し引いた残利用料金を確認し，携帯電話端末１００ｂに残利用料金通知を送信する。
【００１９】
残利用料金通知を見た携帯電話端末１００ｂの利用者は，携帯電話端末１００ａの利用者に課金の代行を依頼する。携帯電話端末１００ａの利用者は，課金の代行を了承する。携帯電話端末１００ａは，課金の代行を行う携帯電話端末１００ａを特定する情報，課金の代行を受ける携帯電話端末１００ｂを特定する情報，代行する金額の情報等を含む課金代行データ１２０を生成し，携帯電話端末１００ｂに受け渡す。携帯電話端末１００ｂは，受け取った課金代行データ１２０を，課金センタシステム２００に送信する。
【００２０】
課金代行データ１２０を受け取った課金センタシステム２００は，課金代行処理によって，課金データベース２０２において，課金の代行を行う携帯電話端末１００ａの利用料金に課金代行金額を加算し，課金の代行を受ける携帯電話端末１００ｂの利用上限金額に課金代行金額を加算する。
【００２１】
これにより，携帯電話端末１００ｂの利用者が，設定された利用上限金額を超えて携帯電話端末１００ｂを利用することができるようになる。
【００２２】
図２は，課金代行データの例を示す図である。課金代行データ１２０は，課金代行データコード，課金代行電話番号，被課金代行電話番号，課金代行金額，改竄防止コード等の情報を持つ。課金代行データコードは，課金代行データ１２０の識別情報である。課金代行電話番号は，課金の代行を行う携帯電話端末１００ａの電話番号であり，上記の課金の代行を行う携帯電話端末１００ａを特定する情報に相当する。被課金代行電話番号は，課金の代行を受ける携帯電話端末１００ｂの電話番号であり，上記の課金の代行を受ける携帯電話端末１００ｂを特定する情報に相当する。課金代行金額は，課金の代行が行われる金額である。改竄防止コードは，課金代行データ１２０の改竄防止を行うための例えばチェックサムなどのチェックコードである。
【００２３】
図３は，課金データベースの例を示す図である。課金データベース２０２は，各携帯電話端末１００の課金情報を記録するデータベースである。課金データベース２０２は，名前，電話番号，利用料金，利用上限金額，残利用料金等の情報を持つ。名前は，携帯電話端末１００の利用者等の名称である。電話番号は，携帯電話端末１００の電話番号である。利用料金は，それまで携帯電話端末１００を利用したことにより発生した料金である。利用上限金額は，携帯電話端末１００に設定されたある期間単位（例えば，１ヶ月単位）の利用上限金額である。残利用料金は，利用上限金額が設定されている場合の，利用上限金額から利用料金を差し引いたものである。
【００２４】
ここでは，利用上限金額が設定された携帯電話端末１００については，毎月その利用上限金額が支払われ，余った分（残利用料金）は翌月分に繰り越しされる。例えば，利用上限金額が１０，０００円に設定されている場合に，ある月の残利用料金が３，０００円であったならば，翌月の利用上限金額は１３，０００円となる。
【００２５】
図３（Ａ）は，課金代行処理前の課金データベース２０２ａを示す。ここで，例えば，電話番号“０９０−ＸＸＸＸ−ＴＴＴＴ”の携帯電話端末１００を利用する富士○彦さんは，残利用料金が５００円になってしまったため，富士○男さんに課金の代行を依頼し，富士○男さんは，５，０００円分の課金代行を行うものとする。
【００２６】
富士○男さんの携帯電話端末１００は，富士○男さんの携帯電話端末１００から富士○彦さんの携帯電話端末１００への５，０００円の課金代行を行う旨の課金代行データ１２０を生成し，富士○彦さんの携帯電話端末１００に受け渡す。富士○彦さんの携帯電話端末１００は，受け取った課金代行データ１２０を課金センタシステム２００に送る。
【００２７】
課金代行データ１２０を受けた課金センタシステム２００は，課金代行処理を行う。課金代行処理では，課金の代行を行う電話番号“０９０−ＸＸＸＸ−ＹＹＹＹ”の携帯電話端末１００の利用料金に５，０００円を加え，課金の代行を受ける電話番号“０９０−ＸＸＸＸ−ＴＴＴＴ”の携帯電話端末１００の利用上限金額に５，０００円を追加する。また，課金の代行を受ける電話番号“０９０−ＸＸＸＸ−ＴＴＴＴ”の携帯電話端末１００の利用上限金額から利用料金を差し引いて，残利用料金を求める。
【００２８】
図３（Ｂ）は，課金代行処理後の課金データベース２０２ｂを示す。課金代行処理前の課金データベース２０２ａは，上記の課金代行処理により，課金代行処理後の課金データベース２０２ｂのようになる。
【００２９】
ここでは，課金センタシステム２００の課金代行管理として，課金の代行を行う携帯電話端末１００の利用料金への課金，課金の代行を受ける携帯電話端末１００の利用上限金額への加算の例を示したが，その他の課金代行管理を行ってもよい。
【００３０】
例えば，処理は多少複雑になるが，課金代行データ１２０に示された課金代行金額に達するまで，設定された利用上限金額を超えて課金の代行を受ける携帯電話端末１００の利用を可能とし，実際に設定された利用上限金額を超えて利用された金額分だけを課金代行を行う携帯電話端末１００に課金するようにしてもよい。具体的な例でいえば，課金代行金額が５，０００円の場合に，利用上限金額が月額１０，０００円に設定された課金の代行を受ける携帯電話端末１００が，その月に１３，０００円の利用料金であったとすると，課金を代行する携帯電話端末１００には，利用上限金額を超えた３，０００円だけが課金されることになる。
【００３１】
また，例えば，課金の代行を受ける携帯電話端末１００の利用上限金額に課金代行データ１２０に示された課金代行金額を加算する代わりに，課金の代行を受ける携帯電話端末１００の利用料金から課金代行データ１２０に示された課金代行金額を減算してもよい。具体的な例でいえば，課金代行金額が５，０００円の場合に，図３において，課金の代行を受ける携帯電話端末１００の利用上限金額を１０，０００円から１５，０００円に加算する代わりに，課金の代行を受ける携帯電話端末１００の利用料金を９，５００円から４，５００円に減算するようにしてもよい。
【００３２】
以下，本発明のより具体的な実施の形態を説明する。
【００３３】
図４は，本発明の実施の形態による課金代行システムの構成例を示す図である。図４に示す課金代行システムにおいて，各携帯電話端末１００と課金センタシステム２００とは，通信網３００を介して通信可能であるものとする。携帯電話端末１００ｂには，利用上限金額が設定されているものとする。
【００３４】
ここでは，携帯電話端末１００ｂの利用者が，携帯電話端末１００ｂで課金代行の依頼通知を作成してそれを携帯電話端末１００ａに送り，その課金代行の依頼を受けることにした携帯電話端末１００ａの利用者が，携帯電話端末１００ａで課金代行データ１２０を作成してそれを携帯電話端末１００ｂに受け渡し，携帯電話端末１００ｂの利用者が，受け取った課金代行データを課金センタシステム２００に送って登録手続きを行うものとする。
【００３５】
課金の代行を受ける携帯電話端末１００ｂでは，課金の代行を行う携帯電話端末１００ａで生成された課金代行データ１２０を保持しておくことができる。あらかじめ課金代行データ１２０を保持しておけば，必要な場合には課金センタシステム２００への課金代行データ１２０の登録を行い，必要がない場合には課金センタシステム２００への課金代行データ１２０の登録を行わないといった判断を，携帯電話端末１００ｂ側で行うことができる。
【００３６】
携帯電話端末１００ａ，携帯電話端末１００ｂには，それぞれ課金代行機能１１０が備えられている。課金代行機能１１０は，アプリケーションソフトウェアなどによって実現され，各携帯電話端末１００のメニュー画面などから起動することができる。
【００３７】
携帯電話端末１００ａの課金代行機能１１０は，課金代行データ生成処理部１１１，利用者認証処理部１１２，課金代行データ受け渡し処理部１１３を備える。
【００３８】
課金代行データ生成処理部１１１は，課金代行データ１２０を生成する手段である。例えば，被課金代行電話番号，課金代行金額等の情報の入力を受け付け，その他必要な情報（課金代行電話番号，課金代行データコード，改竄防止コード等）を加え，図２に示すような課金代行データ１２０を生成する。携帯電話端末１００ｂからの課金代行依頼通知がある場合には，その通知から必要な情報を取得してもよい。
【００３９】
利用者認証処理部１１２は，課金の代行を行う携帯電話端末１００ａの利用者認証を行う。利用者認証としては，暗証番号による認証や，指紋認証などの生体認証などがある。暗証番号による認証より生体認証の方がセキュリティレベルは高く，複数の認証を行うことにより，さらにセキュリティレベルを高くすることができる。
【００４０】
課金代行データ受け渡し処理部１１３は，生成された課金代行データ１２０を，他の携帯電話端末１００に受け渡す手段である。生成された課金代行データ１２０は，赤外線通信，メール添付などにより，他の携帯電話端末１００に受け渡すことができる。ここでは，生成された課金代行データ１２０の２次元バーコードを画面に表示することにより，他の携帯電話端末１００に課金代行データ１２０を受け渡すものとする。
【００４１】
携帯電話端末１００ｂの課金代行機能１１０は，課金代行依頼処理部１１４，課金代行データ受け取り処理部１１５，課金代行データ登録処理部１１６を備える。
【００４２】
課金代行依頼処理部１１４は，課金代行依頼通知を生成する手段である。例えば，課金代行依頼相手先の電話番号，課金代行の依頼金額等の情報の入力を受け付け，その他必要な情報を加え，課金代行依頼通知を生成する。
【００４３】
課金代行データ受け取り処理部１１５は，他の携帯電話端末１００で生成された課金代行データ１２０を受け取る手段である。生成された課金代行データ１２０は，メールや赤外線通信などにより，他の携帯電話端末１００から受け取ることができる。ここでは，２次元バーコードを内蔵のカメラで撮影することにより，他の携帯電話端末１００で生成された課金代行データ１２０を受け取るものとする。受け取られた課金代行データ１２０は，携帯電話端末１００ｂのメモリ（図示省略）に保存される。
【００４４】
課金代行データ登録処理部１１６は，生成された課金代行データを課金センタシステム２００に送る。
【００４５】
課金センタシステム２００は，課金代行処理部２０１，課金データベース２０２を備える。課金代行処理部２０１は，携帯電話端末１００ｂから課金代行データ１２０を受け取り，図３を用いて説明したような課金代行処理を行う。課金データベース２０２は，例えば図３に示すような各携帯電話端末１００の課金情報を記録するデータベースである。
【００４６】
図５は，携帯電話端末による課金代行依頼通知生成処理フローチャートである。携帯電話端末１００ｂの利用者が，携帯電話端末１００ｂのメニュー画面から課金代行機能１１０を選択すると，携帯電話端末１００ｂは，課金代行機能１１０を起動する（ステップＳ１０）。さらに，利用者による課金代行メニューからの課金代行依頼の選択を受け付けると（ステップＳ１１），課金代行依頼に必要となる情報の入力画面を表示する（ステップＳ１２）。
【００４７】
利用者による情報の入力を受け付けると（ステップＳ１３），入力された情報にその他必要な情報を加えて課金代行依頼コードを生成する（ステップＳ１４）。例えば，課金代行依頼相手先の電話番号（携帯電話端末１００ａの電話番号），課金代行依頼金額を利用者に入力させ，課金代行依頼元の電話番号は自携帯電話端末１００ｂから取得し，課金代行データコードはあらかじめ定められたルール（例えば，作成された順番，ランダムなど）に従って用意し，課金代行依頼通知を生成する（ステップＳ１５）。生成された課金代行依頼通知を，課金代行の依頼相手である携帯電話端末１００ａに送信する（ステップＳ１６）。課金代行依頼通知の送信は，例えば，メール，ＳＭＳ（ショートメッセージサービス）等によって行われる。
【００４８】
なお，課金代行の依頼は，携帯電話端末１００ｂの利用者が携帯電話端末１００ａの利用者に口頭で行ってもよい。
【００４９】
図６は，携帯電話端末による課金代行データ生成処理フローチャート（１）である。携帯電話端末１００ａは，携帯電話端末１００ｂからの課金代行依頼通知を受信すると（ステップＳ２０），課金代行機能１１０を起動する（ステップＳ２１）。受信された課金代行依頼通知を解析し（ステップＳ２２），その課金代行依頼通知の内容を画面に表示する（ステップＳ２３）。
【００５０】
課金代行依頼通知の内容を見た携帯電話端末１００ａの利用者が，課金代行を引き受けなかった場合には（ステップＳ２４），処理を終了する。このとき，課金代行を引き受けられない旨の通知を，携帯電話端末１００ｂに自動返信するようにしてもよい。
【００５１】
課金代行依頼通知の内容を見た携帯電話端末１００ａの利用者が，課金代行を引き受けた場合には（ステップＳ２４），利用者認証を行う（ステップＳ２５）。携帯電話端末１００ａの利用者は，携帯電話端末１００ａの指示に従って，暗証番号や生体情報の入力を行う。利用者認証に失敗した場合には（ステップＳ２６），その旨を画面に表示し，処理を終了する。再度，利用者認証を行うようにしてもよい。
【００５２】
利用者認証に成功した場合には（ステップＳ２６），課金代行依頼通知から課金代行データ１２０の生成に必要となる情報を抽出し（ステップＳ２７），抽出された情報にその他必要な情報を加えて課金代行データ１２０を生成する（ステップＳ２８）。例えば，図２に示す課金代行データ１２０において，課金代行データコード，被課金代行電話番号（課金代行依頼元の電話番号：携帯電話端末１００ｂの電話番号），課金代行金額（課金代行依頼金額）を課金代行依頼通知から抽出し，課金代行電話番号は自携帯電話端末１００ａから取得し，課金代行データ１２０を生成する。
【００５３】
生成された課金代行データ１２０の改竄防止コードを生成し（ステップＳ２９），課金代行データ１２０に生成された改竄防止コードを付加する（ステップＳ３０）。このような手順で生成された課金代行データ１２０は，携帯電話端末１００ａのメモリ（図示省略）に保持される。
【００５４】
なお，図６では課金代行データ１２０を課金代行依頼通知をもとに生成しているが，必ずしも課金代行依頼通知から課金代行データ１２０を生成しなければならないわけではない。例えば，口頭で課金代行の依頼を受けた場合には，課金代行依頼通知がないところから課金代行データ１２０を生成する必要がある。以下，図７にその処理の例を示す。
【００５５】
図７は，携帯電話端末による課金代行データ生成処理フローチャート（２）である。携帯電話端末１００ａの利用者が，携帯電話端末１００ａのメニュー画面から課金代行機能１１０を選択すると，携帯電話端末１００ａは，課金代行機能１１０を起動する（ステップＳ４０）。さらに，利用者による課金代行メニューからの課金代行データ生成の選択を受け付ける（ステップＳ４１）。
【００５６】
ここで，利用者認証を行う（ステップＳ４２）。携帯電話端末１００ａの利用者は，携帯電話端末１００ａの指示に従って，暗証番号や生体情報の入力を行う。利用者認証に失敗した場合には（ステップＳ４３），その旨を画面に表示し，処理を終了する。再度，利用者認証を行うようにしてもよい。
【００５７】
利用者認証に成功した場合には（ステップＳ４３），課金代行データ１２０の生成に必要となる情報の入力画面を表示する（ステップＳ４４）。利用者による情報の入力を受け付けると（ステップＳ４５），入力された情報にその他必要な情報を加えて課金代行データ１２０を生成する（ステップＳ４６）。例えば，図２に示す課金代行データ１２０において，被課金代行電話番号（携帯電話端末１００ｂの電話番号），課金代行金額を利用者に入力させ，課金代行電話番号は自携帯電話端末１００ａから取得し，課金代行データコードはあらかじめ定められたルール（例えば，作成された順番，ランダムなど）に従って用意し，課金代行データ１２０を生成する。
【００５８】
生成された課金代行データ１２０の改竄防止コードを生成し（ステップＳ４７），課金代行データ１２０に生成された改竄防止コードを付加する（ステップＳ４８）。このような手順で生成された課金代行データ１２０は，携帯電話端末１００ａのメモリ（図示省略）に保持される。
【００５９】
携帯電話端末１００ａで生成された課金代行データ１２０は，携帯電話端末１００ｂに受け渡される。課金代行データ１２０の受け渡しには，例えばメールなどを用いることもできるが，ここでは，図８，図９のフローチャートを用いて，２次元バーコードによる課金代行データ１２０の受け渡しの例を説明する。２次元バーコードによって直接携帯電話端末１００同士で課金代行データ１２０の受け渡しを行う方が，直接受け渡し相手の確認ができるので，メールなどを用いて受け渡すよりもセキュリティ効果が高い。
【００６０】
図８は，携帯電話端末による課金代行データ受け渡し処理フローチャートである。携帯電話端末１００ａの利用者が，携帯電話端末１００ａのメニュー画面から課金代行機能１１０を選択すると，携帯電話端末１００ａは，課金代行機能１１０を起動する（ステップＳ５０）。さらに，利用者による課金代行メニューからの課金代行データ受け渡しの選択を受け付けると（ステップＳ５１），保持された課金代行データ１２０の２次元バーコードを生成する（ステップＳ５２）。生成された２次元バーコードを画面に表示する（ステップＳ５３）。
【００６１】
図９は，携帯電話端末による課金代行データ受け取り処理フローチャートである。携帯電話端末１００ｂの利用者が，携帯電話端末１００ｂのメニュー画面から課金代行機能１１０を選択すると，携帯電話端末１００ｂは，課金代行機能１１０を起動する（ステップＳ６０）。さらに，利用者による課金代行メニューからの課金代行データ受け取りの選択を受け付けると（ステップＳ６１），携帯電話端末１００ｂに内蔵されたカメラを起動する（ステップＳ６２）。
【００６２】
携帯電話端末１００ｂの利用者が，起動された内蔵カメラで携帯電話端末１００ａの画面に表示された２次元バーコードを撮影すると，カメラで撮影された２次元バーコードの画像を取得し（ステップＳ６３），取得された２次元バーコードの画像を解析して課金代行データ１２０を生成する（ステップＳ６４）。生成された課金代行データ１２０は，携帯電話端末１００ｂのメモリ（図示省略）に保持される。
【００６３】
その後，利用者による課金代行メニューからの課金代行データ登録の選択によって，保持された課金代行データ１２０は課金センタシステム２００に送られる。
【００６４】
図１０は，課金センタシステムによる課金代行処理フローチャートである。課金センタシステム２００は，携帯電話端末１００ｂからの課金代行データ１２０を受け付けると（ステップＳ７０），受け付けられた課金代行データ１２０の改竄防止コードを抽出し，その改竄防止コードを用いて課金代行データ１２０の改竄チェックを行う（ステップＳ７１）。課金代行データ１２０が改竄されていれば（ステップＳ７２），課金代行処理を終了し，エラー処理に移る。
【００６５】
課金代行データ１２０が改竄されていなければ（ステップＳ７２），課金代行データ１２０から課金代行電話番号と，課金代行金額とを抽出し，課金データベース２０２において，抽出された課金代行電話番号で指定された携帯電話端末１００ａの利用料金に抽出された課金代行金額を加算する（ステップＳ７３）。また，課金代行データ１２０から被課金代行電話番号と，課金代行金額とを抽出し，課金データベース２０２において，抽出された被課金代行電話番号で指定された携帯電話端末１００ｂの利用上限金額に抽出された課金代行金額を加算し（ステップＳ７４），抽出された被課金代行電話番号で指定された携帯電話端末１００ｂの利用上限金額から利用料金を差し引いて残利用料金を算出する（ステップＳ７５）。
【００６６】
以上，本発明の実施の形態について説明したが，本発明はこの実施の形態に限るものではない。
【実施例】
【００６７】
以下，図１１〜図１５を用いて，課金代行システムの具体的な実施例を説明する。以下の例では，父親Ａ，祖母Ｂと，子供Ｃとの間で課金代行が行われる。各人の携帯電話端末１００の電話番号は，
父親Ａ：０９０−１１１１−１１１１
祖母Ｂ：０９０−２２２２−３３３３
子供Ｃ：０９０−１１１１−２２２２
であるものとする。子供Ｃの携帯電話端末１００には，使いすぎの防止対策として，１ヶ月に１０，０００円の利用上限が設定されている。子供Ｃは，１ヶ月の利用料金が１０，０００円になると，自分の携帯電話端末１００で通話やメールの発信ができなくなる。なお，図１１〜図１５において，破線のボックスは利用者の動作を示す。
【００６８】
図１１は，具体的な実施の例を説明する図（１）である。ここでは，子供Ｃの携帯電話端末１００Ｃの利用料金が９，５００円となり，あと５００円で利用上限金額に達してしまい，子供Ｃの携帯電話端末１００Ｃからの発信が停止されてしまう状態であるものとする。
【００６９】
課金センタシステム２００は，子供Ｃの携帯電話端末１００Ｃの利用料金が９，５００円となり，１０，０００円の利用上限金額まであと５００円となったことを確認し，子供Ｃの携帯電話端末１００Ｃにメールで残利用料金通知（５００円）を送信する（ステップＳ１００）。
【００７０】
携帯電話端末１００Ｃは，課金センタシステム２００から受け取った残利用料金通知を画面に表示する（ステップＳ１０１）。残利用料金が５００円であることを知った子供Ｃは，その後も携帯電話端末１００Ｃを使用する必要があるため，課金代行の依頼を行うことにする。
【００７１】
子供Ｃは，携帯電話端末１００Ｃのメニューから課金代行機能を選択する（ステップＳ１０２）。携帯電話端末１００Ｃは，課金代行機能を起動する（ステップＳ１０３）。子供Ｃは，さらに課金代行機能のメニューから，課金代行依頼を選択する（ステップＳ１０４）。以下，課金代行依頼の入力画面にしたがって，課金代行依頼相手先の電話番号，課金代行依頼金額を入力する（ステップＳ１０５，Ｓ１０６）。ここでは，課金代行依頼相手先の電話番号として父親Ａの携帯電話端末１００Ａの電話番号“０９０−１１１１−１１１１”を入力し，課金代行依頼金額として“５，０００（円）”と入力するものとする。
【００７２】
子供Ｃの携帯電話端末１００Ｃは，課金代行データコードを生成する（ステップＳ１０７）。ここでは，課金代行データコードとして“０００２”が生成されるものとする。課金代行依頼元の電話番号，課金代行依頼金額，課金代行データコードからなる課金代行依頼通知を生成する（ステップＳ１０８）。課金代行依頼通知の内容は，課金代行依頼元の電話番号“０９０−１１１１−２２２２”（子供Ｃの携帯電話端末１００Ｃの電話番号），課金代行依頼金額“５，０００（円）”，課金代行データコード“０００２”となる。生成された課金代行依頼通知を，父親Ａの携帯電話端末１００Ａに，ＳＭＳ（ショートメッセージサービス）を利用して送信する（ステップＳ１０９）。
【００７３】
図１２は，具体的な実施の例を説明する図（２）である。子供Ｃからの課金代行依頼通知を受けた父親Ａは，子供Ｃからの課金代行依頼に応じることにした。
【００７４】
子供Ｃの携帯電話端末１００Ｃからの課金代行依頼通知を受信した父親Ａの携帯電話端末１００Ａは，課金代行機能を起動し（ステップＳ１１０），受信された課金代行依頼通知を解析し（ステップＳ１１１），その内容を画面に表示して父親Ａに課金代行実行の是非を問う（ステップＳ１１２）。ここでは，父親Ａは，子供Ｃからの課金代行の実行を選択する（ステップＳ１１３）。
【００７５】
父親Ａが課金代行の実行を選択すると，父親Ａの携帯電話端末１００Ａの画面には，暗証番号入力画面が表示される。父親Ａが暗証番号を入力すると（ステップＳ１１４），父親Ａの携帯電話端末１００Ａは，課金代行依頼通知の課金代行依頼元の電話番号，課金代行依頼金額，課金代行データコードをそれぞれ被課金代行電話番号，課金代行金額，課金代行データコードとし，自携帯電話端末１００Ａの電話番号を課金代行電話番号とする課金代行データ１２０を生成する（ステップＳ１１５）。課金代行データ１２０の内容は，課金代行データコード“０００２”，課金代行電話番号“０９０−１１１１−１１１１”（父親Ａの携帯電話端末１００Ａの電話番号），被課金代行電話番号“０９０−１１１１−２２２２”（子供Ｃの携帯電話端末１００Ｃの電話番号），課金代行金額“５，０００（円）”となる。
【００７６】
さらに，父親Ａの携帯電話端末１００Ａは，生成された課金代行データ１２０の改竄防止コード（例えば，チェックサムなど）を生成し（ステップＳ１１６），生成された改竄防止コードを課金代行データ１２０に付加する（ステップＳ１１７）。
【００７７】
図１３は，具体的な実施の例を説明する図（３）である。父親Ａは，子供Ｃへの課金代行データ１２０の受け渡しを確実に行うために，携帯電話端末１００Ａの画面表示と，携帯電話端末１００Ｃのカメラ入力による課金代行データ１２０の受け渡しを行う。
【００７８】
まず，父親Ａは，携帯電話端末１００Ａのメニューから課金代行機能を選択する（ステップＳ１２０）。携帯電話端末１００Ａは，課金代行機能を起動する（ステップＳ１２１）。父親Ａは，さらに課金代行機能のメニューから，課金代行データ受け渡しを選択する（ステップＳ１２２）。父親Ａの携帯電話端末１００Ａは，受け渡しを行う課金代行データ１２０から２次元バーコードを生成し（ステップＳ１２３），生成された２次元バーコードを画面に表示する（ステップＳ１２４）。
【００７９】
子供Ｃは，携帯電話端末１００Ｃのメニューから課金代行機能を選択する（ステップＳ１３０）。携帯電話端末１００Ｃは，課金代行機能を起動する（ステップＳ１３１）。子供Ｃは，さらに課金代行機能のメニューから，課金代行データ受け取りを選択する（ステップＳ１３２）。子供Ｃの携帯電話端末１００Ｃは，内蔵カメラを起動する（ステップＳ１３３）。子供Ｃは，父親Ａの携帯電話端末１００Ａの画面に表示された２次元バーコードを携帯電話端末１００Ｃの内蔵カメラで撮影する（ステップＳ１３４）。子供Ｃの携帯電話端末１００Ｃは，内蔵カメラで撮影された２次元バーコードの画像を解析し（ステップＳ１３５），課金代行データ１２０を生成する（ステップＳ１３６）。生成された課金代行データ１２０を保存する（ステップＳ１３７）。
【００８０】
図１４は，具体的な実施の例を説明する図（４）である。子供Ｃは，祖母Ｂにも課金代行を依頼する。実際には父親Ａに課金代行を依頼した場合と同様に図１１〜図１３に示す手順で進めるが，図１４ではそれらの手順を省略して示している。
【００８１】
父親Ａの場合と同様に，子供Ｃの携帯電話端末１００Ｃは，課金代行依頼通知を生成し（ステップＳ１４０），生成された課金代行依頼通知を祖母Ｂの携帯電話端末１００Ｂに送信する（ステップＳ１４１）。課金代行依頼通知の内容は，課金代行依頼元の電話番号“０９０−１１１１−２２２２”（子供Ｃの携帯電話端末１００Ｃの電話番号），課金代行依頼金額“１０，０００（円）”，課金代行データコード“０００３”となる。
【００８２】
子供Ｃからの課金代行の依頼に応じた祖母Ｂの携帯電話端末１００Ｂでは，課金代行データ１２０が生成される（ステップＳ１４２）。課金代行データ１２０の内容は，課金代行データコード“０００３”，課金代行電話番号“０９０−２２２２−３３３３”（祖母Ｂの携帯電話端末１００Ｂの電話番号），被課金代行電話番号“０９０−１１１１−２２２２”（子供Ｃの携帯電話端末１００Ｃの電話番号），課金代行金額“１０，０００（円）”，改竄防止コードとなる。
【００８３】
父親Ａの場合と同様に，祖母Ｂの携帯電話端末１００Ｂから子供Ｃの携帯電話端末１００Ｃへの課金代行データ１２０の受け渡しが行われる。祖母Ｂの携帯電話端末１００Ｂは，生成された課金代行データ１００から２次元バーコードを生成し（ステップＳ１４３），生成された２次元バーコードを画面に表示する（ステップＳ１４４）。
【００８４】
子供Ｃは，祖母Ｂの携帯電話端末１００Ｂの画面に表示された２次元バーコードを携帯電話端末１００Ｃの内蔵カメラで撮影する（ステップＳ１４５）。子供Ｃの携帯電話端末１００Ｃは，内蔵カメラで撮影された２次元バーコードの画像を解析して課金代行データ１２０を生成し，生成された課金代行データ１２０を保存する（ステップＳ１４６）。これで，子供Ｃの携帯電話端末１００Ｃには，父親Ａからの５，０００円分の課金代行データ１２０と，祖母Ｂからの１０，０００円分の課金代行データ１２０とが保持された状態となる。
【００８５】
図１５は，具体的な実施の例を説明する図（５）である。子供Ｃは，父親Ａ，祖母Ｂから受け渡された課金代行データ１２０を，携帯電話端末１００Ｃから課金センタシステム２００に送信し，設定された利用上限金額を超えた携帯電話端末１００Ｃの使用を可能にする。
【００８６】
子供Ｃは，携帯電話端末１００Ｃのメニューから課金代行機能を選択する（ステップＳ１５０）。携帯電話端末１００Ｃは，課金代行機能を起動する（ステップＳ１５１）。子供Ｃは，さらに課金代行機能のメニューから，課金代行データ登録を選択し（ステップＳ１５２），携帯電話端末１００Ｃに保持された課金代行データ１２０のうち，まず父親Ａの課金代行データ１２０を選択する（ステップＳ１５３）。子供Ｃの携帯電話端末１００Ｃは，保持された父親Ａの課金代行データ１２０を課金センタシステム２００に送信する（ステップＳ１５４）。
【００８７】
課金センタシステム２００では，子供Ｃの携帯電話端末１００Ｃから受信した父親Ａの課金代行データ１２０の改竄防止コードを用いて，課金代行データ１２０の改竄チェックを行う（ステップＳ１５５）。課金代行データ１２０が改竄されていなければ，課金代行データ１２０の課金代行データコード“０００２”と，過去に処理された課金代行データ１２０の課金代行データコード（課金センタシステム２００で保持しておく）との重複チェックを行う（ステップＳ１５６）。
【００８８】
課金代行データコードが重複していなければ，課金データベース２０２において，課金代行データ１２０の課金代行電話番号の利用料金に，課金代行データ１２０の課金代行金額で指定された金額を加算する（ステップＳ１５７）。ここでは，父親Ａの携帯電話端末１００Ａの電話番号“０９０−１１１１−１１１１”の利用料金に，課金代行金額“５，０００（円）”を加算する。
【００８９】
また，課金代行データ１２０の被課金代行電話番号の利用上限金額に，課金代行データ１２０の課金代行金額で指定された金額を加算する（ステップＳ１５８）。ここでは，子供Ｃの携帯電話端末１００Ｃの電話番号“０９０−１１１１−２２２２”の利用上限金額に，課金代行金額“５，０００（円）”を加算する。これで，子供Ｃの携帯電話端末１００Ｃの利用上限金額が１５，０００円となる。現在の利用料金が９，５００円なので，子供Ｃの携帯電話端末１００Ｃの残利用料金は５，５００円となる。課金センタシステム２００は，子供Ｃの携帯電話端末１００Ｃに残利用料金通知（５，５００円）を送信する（ステップＳ１５９）。
【００９０】
子供Ｃの携帯電話端末１００Ｃは，課金センタシステム２００から受け取った残利用料金通知を画面に表示する（ステップＳ１６０）。続けて，子供Ｃは，携帯電話端末１００Ｃに保持された祖母Ｂの課金代行データ１２０を選択する（ステップＳ１６１）。子供Ｃの携帯電話端末１００Ｃは，保持された祖母Ｂの課金代行データ１２０を課金センタシステム２００に送信する（ステップＳ１６２）。
【００９１】
課金センタシステム２００では，同様に改竄チェック，重複チェックを行う。改竄チェック，重複チェックに問題がなければ，課金データベース２０２において，課金代行データ１２０の課金代行電話番号の利用料金に，課金代行データ１２０の課金代行金額で指定された金額を加算する（ステップＳ１６３）。ここでは，祖母Ｂの携帯電話端末１００Ｂの電話番号“０９０−２２２２−３３３３”の利用料金に，課金代行金額“１０，０００（円）”を加算する。
【００９２】
また，課金代行データ１２０の被課金代行電話番号の利用上限金額に，課金代行データ１２０の課金代行金額で指定された金額を加算する（ステップＳ１６４）。ここでは，子供Ｃの携帯電話端末１００Ｃの電話番号“０９０−１１１１−２２２２”の利用上限金額に，課金代行金額“１０，０００（円）”を加算する。これで，子供Ｃの携帯電話端末１００Ｃの利用上限金額が２５，０００円となる。現在の利用料金が９，５００円なので，子供Ｃの携帯電話端末１００Ｃの残利用料金は１５，５００円となる。課金センタシステム２００は，子供Ｃの携帯電話端末１００Ｃに残利用料金通知（１５，５００円）を送信する（ステップＳ１６５）。
【００９３】
子供Ｃの携帯電話端末１００Ｃは，課金センタシステム２００から受け取った残利用料金通知を画面に表示する（ステップＳ１６６）。
【００９４】
以上の実施の形態および実施例の特徴を列挙すると，以下のとおりである。
【００９５】
（付記１）
他の携帯電話端末の課金を代行する第１の携帯電話端末と，課金の代行を受ける第２の携帯電話端末と，各携帯電話端末の課金を管理する課金センタシステムとにおける課金代行方法であって，
前記第１の携帯電話端末が，少なくとも前記第１の携帯電話端末を特定する情報と，前記第２の携帯電話端末を特定する情報と，代行する課金の金額である課金代行金額とを含む課金代行情報を生成する過程と，
前記第１の携帯電話端末が，前記第２の携帯電話端末に前記生成された課金代行情報を受け渡す過程と，
前記第２の携帯電話端末が，前記第１の携帯電話端末から前記課金代行情報を受け取る過程と，
前記第２の携帯電話端末が，前記受け取った課金代行情報を前記課金センタシステムに登録する過程と，
前記課金センタシステムが，前記課金代行情報で指定された課金代行金額の範囲内で，前記課金代行情報で特定された前記第２の携帯電話端末の利用料金の減算または利用上限金額の加算を行い，前記課金代行情報で特定された前記第１の携帯電話端末の利用料金の加算を行う過程とを有する
ことを特徴とする課金代行方法。
【００９６】
（付記２）
他の携帯電話端末の課金を代行する第１の携帯電話端末と，課金の代行を受ける第２の携帯電話端末と，各携帯電話端末の課金を管理する課金センタシステムとにおける課金代行方法であって，
前記第２の携帯電話端末が，少なくとも前記第２の携帯電話端末を特定する情報と，課金の代行を依頼する金額である課金代行依頼金額とを含む課金代行依頼情報を生成する過程と，
前記第２の携帯電話端末が，前記第１の携帯電話端末に前記生成された課金代行依頼情報を送信する過程と，
前記第１の携帯電話端末が，前記課金代行依頼情報を受信する過程と，
前記第１の携帯電話端末が，少なくとも前記第１の携帯電話端末を特定する情報と，前記第２の携帯電話端末を特定する情報とを含み，さらに前記課金代行依頼情報で指定された課金代行依頼金額を代行する課金の金額である課金代行金額として含む課金代行情報を生成する過程と，
前記第１の携帯電話端末が，前記第２の携帯電話端末に前記生成された課金代行情報を受け渡す過程と，
前記第２の携帯電話端末が，前記第１の携帯電話端末から前記課金代行情報を受け取る過程と，
前記第２の携帯電話端末が，前記受け取った課金代行情報を前記課金センタシステムに登録する過程と，
前記課金センタシステムが，前記課金代行情報で指定された課金代行金額の範囲内で，前記課金代行情報で特定された前記第２の携帯電話端末の利用料金の減算または利用上限金額の加算を行い，前記課金代行情報で特定された前記第１の携帯電話端末の利用料金の加算を行う過程とを有する
ことを特徴とする課金代行方法。
【００９７】
（付記３）
付記１または付記２に記載された課金代行方法であって，
前記第１の携帯電話端末が課金代行情報を受け渡す過程では，前記課金代行情報を２次元バーコードに変換して前記第１の携帯電話端末の画面に表示し，
前記第２の携帯電話端末が課金代行情報を受け取る過程では，前記第１の携帯電話端末の画面に表示された２次元バーコードを，前記第２の携帯電話端末に内蔵されたカメラで撮影し，得られた２次元バーコードの画像を変換することにより，前記課金代行情報を取得する
ことを特徴とする課金代行方法。
【００９８】
（付記４）
付記１から付記３までのいずれか１項に記載された課金代行方法であって，
前記第１の携帯電話端末が，前記課金代行情報の改竄を防止するための改竄防止コードを生成し，生成された改竄防止コードを前記課金代行情報に組み込む過程を有する
ことを特徴とする課金代行方法。
【００９９】
（付記５）
他の携帯電話端末の課金を代行する第１の携帯電話端末と，課金の代行を受ける第２の携帯電話端末と，各携帯電話端末の課金を管理する課金センタシステムとを備える課金代行システムであって，
前記第１の携帯電話端末は，
少なくとも前記第１の携帯電話端末を特定する情報と，前記第２の携帯電話端末を特定する情報と，代行する課金の金額である課金代行金額とを含む課金代行情報を生成する手段と，
前記第２の携帯電話端末に前記生成された課金代行情報を受け渡す手段とを備え，
前記第２の携帯電話端末は，
前記第１の携帯電話端末から前記課金代行情報を受け取る手段と，
前記受け取った課金代行情報を前記課金センタシステムに登録する手段とを備え，
前記課金センタシステムは，
前記課金代行情報で指定された課金代行金額の範囲内で，前記課金代行情報で特定された前記第２の携帯電話端末の利用料金の減算または利用上限金額の加算を行い，前記課金代行情報で特定された前記第１の携帯電話端末の利用料金の加算を行う手段を備える
ことを特徴とする課金代行システム。
【０１００】
（付記６）
付記５に記載された課金代行システムであって，
前記課金代行情報を受け渡す手段は，前記課金代行情報を２次元バーコードに変換して前記第１の携帯電話端末の画面に表示し，
前記課金代行情報を受け取る手段は，前記第１の携帯電話端末の画面に表示された２次元バーコードを，前記第２の携帯電話端末に内蔵されたカメラで撮影し，得られた２次元バーコードの画像を変換することにより，前記課金代行情報を取得する
ことを特徴とする課金代行システム。
【０１０１】
（付記７）
他の携帯端末による通信に対する課金を代行する携帯端末であって，
前記携帯端末を特定する情報と，課金が代行される他携帯端末を特定する情報と，前記携帯端末が代行する課金額を示す課金代行金額とを含む課金代行情報を生成する手段と，
前記他携帯端末に対して，前記課金代行情報を送信する手段とを備える
ことを特徴とする携帯端末。  
【０１０２】
（付記８）
通信を行う携帯端末において，
他の携帯端末から，前記他の携帯端末を特定する情報と，前記他の携帯端末が代行する前記携帯端末による通信に対する課金額を示す課金代行金額とを含む課金代行情報を受信する手段と，
前記他の携帯端末から受信した課金代行情報を，各携帯電話端末の課金を管理する課金センタに送信する手段とを備える
ことを特徴とする携帯端末。
【０１０３】
（付記９）
携帯端末による通信に対する課金処理を行う機能を有する情報処理装置であって，
第一の携帯端末から受信した，前記第一の携帯端末を特定する情報と，第一の携帯端末による通信に対する課金を代行する第二の携帯端末を特定する情報とを含む課金代行情報を受信する手段と，
前記第一の携帯端末による通信に対する利用料金を算出し，前記第二の携帯端末による通信に対する利用料金に，前記第一の携帯端末に対する利用料金を加算する処理を行う手段とを備える
ことを特徴とする情報処理装置。
【０１０４】
（付記１０）
前記情報処理装置はさらに，前記課金代行情報として，前記第二の携帯端末が代行する課金額を示す情報を受信するとともに，
前記第一の携帯端末による通信の上限額を，前記第二の携帯端末が代行する課金額に基づいて設定する手段をさらに備える
ことを特徴とする情報処理装置。
【図面の簡単な説明】
【０１０５】
【図１】本発明の概念を説明するための図である。
【図２】課金代行データの例を示す図である。
【図３】課金データベースの例を示す図である。
【図４】本発明の実施の形態による課金代行システムの構成例を示す図である。
【図５】携帯電話端末による課金代行依頼通知生成処理フローチャートである。
【図６】携帯電話端末による課金代行データ生成処理フローチャート（１）である。
【図７】携帯電話端末による課金代行データ生成処理フローチャート（２）である。
【図８】携帯電話端末による課金代行データ受け渡し処理フローチャートである。
【図９】携帯電話端末による課金代行データ受け取り処理フローチャートである。
【図１０】課金センタシステムによる課金代行処理フローチャートである。
【図１１】具体的な実施の例を説明する図（１）である。
【図１２】具体的な実施の例を説明する図（２）である。
【図１３】具体的な実施の例を説明する図（３）である。
【図１４】具体的な実施の例を説明する図（４）である。
【図１５】具体的な実施の例を説明する図（５）である。
【符号の説明】
【０１０６】
１００  携帯電話端末
１１０  課金代行機能
１１１  課金代行データ生成処理部
１１２  利用者認証処理部
１１３  課金代行データ受け渡し処理部
１１４  課金代行依頼処理部
１１５  課金代行データ受け取り処理部
１１６  課金代行データ登録処理部
１２０  課金代行データ
２００  課金センタシステム
２０１  課金代行処理部
２０２  課金データベース
３００  通信網
【図１】
2008236102.tif 000003
【図２】
2008236102.tif 000004
【図３】
2008236102.tif 000005
【図４】
2008236102.tif 000006
【図５】
2008236102.tif 000007
【図６】
2008236102.tif 000008
【図７】
2008236102.tif 000009
【図８】
2008236102.tif 000010
【図９】
2008236102.tif 000011
【図１０】
2008236102.tif 000012
【図１１】
2008236102.tif 000013
【図１２】
2008236102.tif 000014
【図１３】
2008236102.tif 000015
【図１４】
2008236102.tif 000016
【図１５】
2008236102.tif 000017